(57)【特許請求の範囲】
【請求項１】
簡易屋根を構成する垂木又は側枠の側面に形成した取付孔から垂木又は側枠の内部に挿入される内部取付部と、取付孔から突出する突出部とを有する基部取付具と、物干し部材を取付ける吊り支柱の支持部と前記基部取付具の突出部に固定される固定部と外部取付部とを有する取付具とからなり、前記突出部と固定部とを固着具により固着し、基部取付具の内部取付部と取付具の外部取付部とを垂木又は側枠の側面を挟んで固着具により固着したことを特徴とする物干し装置を備えた簡易屋根。
【発明の詳細な説明】
【０００１】
【発明の属する技術分野】
本発明は、テラス、バルコニーやカーポート等の簡易屋根に関するもので、該簡易屋根を構成する垂木や側枠に物干し装置を吊り下げた簡易屋根に関するものである。
【０００２】
【従来の技術】
従来、戸建ての住宅で、一階の開口部前に面した庭や、下階の屋根の上等にテラス、バルコニーを付設して家周りのスペースを有効に活用している。このように付設されたテラスやバルコニー、また、日中など自動車が駐車していないカーポート等の簡易屋根を利用し、これらの簡易屋根を構成する垂木や側枠に物干し部材を吊り下げ、この吊り下げられた物干し部材に物干し竿を掛けることで、梅雨時や外出時の突然の降雨にも安心して洗濯物を干すことができると共に、自然エネルギーを有効に活用されている。
【０００３】
従来のテラスやバルコニー、カーポート等の簡易屋根を利用した物干し装置の取付けを図１２、１３により説明する。図１２は従来の簡易屋根に付設した物干しの取付け状態図で、図１３は図１２の部分詳細図である。テラスやバルコニーは、一端を住宅の壁面１に取付けられた垂木や側枠２と、該側枠２の前端は、庭又は階下の屋根に取付けられた複数本の前柱３の上端に取付けられている。そして、側枠２には母屋４、４が設けられると共に図示されていない垂木が設けられている。この垂木の上にガラス又はアクリル樹脂製等の屋根板が載置されて構成されている。
【０００４】
符号６は、簡易屋根の側枠２の側面に水平に孔開けられた２つの取付孔７、７に取付けられる取付板で、ターンナット８を介して取付板６に形成されているネジ孔９にネジ１０を用いて側枠２に取付けられる。また、取付板６には吊り支柱１１がネジ１２によって取付けられており、この吊り支柱１１にはスライド支柱１３が止めネジ１４によって長さ調節自在に取付けられており、スライド支柱１３の先端には物干し装置１５が取付けられる。
【０００５】
吊り支柱１１の上方で取付板６の下には、吊り支柱１１のふらつきを防止するためのサポート部材１６が吊り支柱１１に設けられており、該サポート部材１６は、ネジ１７、１７によって側枠２の下面に取付けられる。そして、物干し装置１５は、一つの側枠２に対して２本の吊り支柱１１、１１によって取付けられ、対向する側枠２にも２本の吊り支柱１１、１１によって取付けられる。
【０００６】
【発明が解決しようとする課題】
しかしながら、従来のテラスやバルコニー、カーポート等の簡易屋根を利用した物干し装置の取付けでは、傾斜している簡易屋根の側枠２の側面に水平に孔開けられた一対の取付孔７、７は、工場での機械加工ではなく、物干し装置を簡易屋根の側枠２に取付ける際に、取付け現場で作業者によって孔開け作業がおこなわれている。そして、この側枠２に現場で開けられる一対の取付孔７、７は、物干し装置１５を吊り下げる吊り支柱１１を垂直に取付けるためには、一対の孔同士が水平となるように孔開けしなければならず、もし、傾いた儘で取付けると吊り支柱１１が、開いたり閉じたりと云った傾いた状態で取付けられることとなる。このため、水平な取付孔７、７を最低でも四対の取付孔を所要の間隔で且つ水平となるように孔を開けることは大変な労力と苦労を要する作業となっている。
【０００７】
また、一度、簡易屋根の側枠２の側面に孔を開けてしまうと、再度孔開けし直すと見た目も良くなく、また、簡易屋根の側枠２はアルミなど肉薄であることからネジが効かず、吊り支柱１１を取付けている取付板６を簡易屋根の側枠２に取付けるためにボルトやネジ１０を止めるためと、補強のために樹脂製のターンナット８を開けた孔の中に入れてネジで締め付けて取付けているが、ターンナット８と一対の取付孔７、７の孔の間隔がズレていると、一対の取付孔７、７の孔にターンナット８が入らないことがあった。
【０００８】
また、ターンナット８を無理して一対の取付孔７、７に押し込むと、材質がプラスチックであるので壊れやすいと云った不都合があり、また、ターンナット８は、一度締め付けると容易に取り外して位置を変えることが難しい。このため、一度取付けたターンナット８を壊してから付け直さなければならなかった。
【０００９】
そこで、本発明は、上述した課題によりなされたもので、物干し部材の吊り支柱を取付けるための取付具の取付孔を吊り支柱１本につき現場で１個だけ開けるだけで簡易屋根の側枠の側面に吊り支柱を取付けることができるようにした簡易屋根を提供することを目的とするものである。
【００１０】
【課題を解決するための手段】
上記の目的を達成するため、本発明の請求項１に記載の発明は、簡易屋根を構成する垂木又は側枠の側面に形成した取付孔から垂木又は側枠の内部に挿入される内部取付部と、取付孔から突出する突出部とを有する基部取付具と、物干し部材を取付ける吊り支柱の支持部と前記基部取付具の突出部に固定される固定部と外部取付部とを有する取付具とからなり、前記突出部と固定部とを固着具により固着し、基部取付具の内部取付部と取付具の外部取付部とを垂木又は側枠の側面を挟んで固着具により固着したことを特徴とするものである。
【００１１】
【発明の実施の形態】
以下、本発明の簡易屋根の実施の態様を図１〜図１１によって説明する。図１は本発明の簡易屋根に付設する物干し装置の取付け状態を示す側面図、図２は取付具の斜視図、図３は基部取付具の側断面図、図４は側枠への基部取付具の取付け状態図、図５は基部取付具への取付具の取付け状態図、図６は基部取付具と取付具の取付け状態図、図７は側枠への取付具の取付け状態図、図８は側枠への取付具の取付け状態の断面図、図９は、取付具の他の実施の態様の斜視図、図１０は基部取付具の他の実施の態様の側断面図、図１１は側枠への基部取付具の他の実施の態様の取付け状態図である。
【００１２】
図１に図示されているように、本発明のテラスやバルコニーなどの簡易屋根に物干し装置を取付けるテラスやバルコニーは、従来公知のテラスやバルコニーと同様、庭又は階下の屋根の上に設けられた複数本の前柱３の上端と、一端をボルト１８よって住宅の壁面１とに取付けられた垂木や側枠２と、側枠２には母屋４が設けられると共に図示されていない垂木が設けられている。この垂木や側枠２の上にガラス又はアクリル樹脂製等の屋根板５が載置されて構成されている。
【００１３】
一つの側枠２には後述する構成を有する二つの取付具１９と基部取付具２０とが所要間隔で取付けられており、取付具１９には、下部にスライド支柱１３を長さ調節用の止めネジ１４によって取付けた２本の吊り支柱１１、１１がそれぞれ挟持されている。該スライド支柱１３の下部には物干し部材１５が取付けられており、この物干し部材１５には物干し竿２２が載せられる凹部が形成されている。そして、物干し部材１５は、対向する側枠２にも２本の吊り支柱１１、１１と該吊り支柱１１の下部に長さ調節用の止めネジ１４によって取付けられたスライド支柱１３の下部に取付けられている。
【００１４】
図２に示す取付具１９は、半円形の支持部２３と固定部２４と外部取付部２５とからなる５の字型形状をした二つの部材からなっており、それぞれにネジ孔２６、ネジ孔２７、ネジ孔２８を有している。なお、取付具１９は、かた片が５の字型形状の二つの部材からなっているもの以外に、Ω型形状となったものを採用してもよい。また、図３に示す基部取付具２０は、突出部２９と内部取付部３０とからなる二つの部材からなっており、それぞれにネジ孔３１、ネジ孔３２を有している。
【００１５】
図４〜１１に示す本発明の簡易屋根への物干し装置の取付けについて説明すると、まず現場で、中空体でアルミ、鉄等の金属製や樹脂製の側枠２の側面の所要箇所に取付孔２１を孔開けする。この取付孔２１の径は、基部取付金具２０の内部取付部３０が挿入されるため該内部取付部３０の幅よりも僅か大きな径である。このように側枠２の側面に形成された取付孔２１の内部に、基部取付金具２０、２０の内部取付部３０、３０を互いに背合わせにして挿入する（図４の記載参照）。そして挿入後、基部取付金具２０、２０の突出部２９、２９同士を背合わせし、前記内部取付部３０、３０を側枠２の内部側面に当接する。
【００１６】
次に、取付具１９、１９の半円形の支持部２３、２３同士が互いに向かい合わせ状態となるようにし、互いに向かい合った該半円形の支持部２３、２３とで形成される円状の抱持部の内部に吊り支柱１１を挿入する。そして、図示されていない吊り支柱１１の側面に形成されネジ孔と半円形の支持部２３のネジ孔２６とにボルト３３を挿入し、取付具１９、１９の半円形の支持部２３、２３に吊り支柱１１を取付ける（図５の記載参照）。
【００１７】
このとき、互いに向かい合った取付具１９、１９に吊り支柱１１を取付けたとき、取付具１９、１９の固定部２４、２４同士は、背合わせされた基部取付具２０、２０の突出部２９、２９が入り込む間隙を有しているので、この間隙に背合わせされた基部取付具２０、２０の突出部２９、２９入れて挟持し、取付具１９、１９の固定部２４、２４に形成されているネジ孔２７、２７と基部取付金具２０、２０の突出部２９、２９に形成されているネジ孔３１、３１とにボルト３４を差込み、ナット３５により締結する（図６の記載参照）。
【００１８】
そして、側枠２の側面に形成された取付孔２１に挿入されている基部取付具２０、２０の突出部２９、２９を回動させながら取付具１９、１９の固定部２４、２４で挟持された吊り支柱１１を垂直状態になるように角度調整と取付け誤差を調整し、該吊り支柱１１が垂直状態にあることを確認し取付け位置を決めた後に、取付具１９、１９の外部取付部２５、２５のネジ孔２８、２８からテクスネジ３６、３６をネジ込むと、テクスネジ３６、３６は、側枠２の側面にネジ孔を形成しながらネジ込まれると同時に基部取付具２０、２０の内部取付部３０、３０に形成されているネジ孔３２、３２と螺合する（図７、８の記載参照）。
【００１９】
すると、取付具１９の外部取付部２５と基部取付具２０の内部取付部３０とで側枠２の側面を挟持締結し、側枠２の側面に吊り支柱１１をしっかりと垂直状態で支持される。なお、同様してもう一本の吊り支柱１１も所定の間隔をおいて側枠２の側面に取付具によって垂直状態で取付けられる。
【００２０】
このように側枠２の側面に垂直状態で支持された２本の吊り支柱１１、１１にスライド支柱１３、１３を止めネジ１４で長さ調節して取付けると共に、該スライド支柱１３、１３の下部に物干し部材１５を取付ける。
【００２１】
図９〜１１は、本発明の簡易屋根の取付具と基部取付具の他の実施の態様を示すもので、図９に示す取付具１９１は、略閉円形の支持部２３１と固定部２４１と外部取付部２５とからなり、それぞれにネジ孔２６、２６、ネジ孔２７、ネジ孔２８を有している。また、図１０に示す基部取付具２０１は、図３に示す基部取付具２０と同様に突出部２９１と内部取付部３０とからなり、それぞれにネジ孔３１、ネジ孔３２を有している。
【００２２】
次に、簡易屋根への物干しの取付けについて説明すると、現場で、側枠２の側面の所要箇所に取付孔２１１を孔開けする。この取付孔２１１の径は、基部取付金具２０１の内部取付部３０が挿入されるため該内部取付部３０の幅よりも僅か大きな径である。このように側枠２の側面に形成された取付孔２１１の内部に、基部取付金具２０１の内部取付部３０を挿入する。そして挿入後、基部取付金具２０１の内部取付部３０を側枠２の内部側面に当接する。
【００２３】
次に、取付具１９１の略閉円形の支持部２３１の内部に吊り支柱１１を挿入し、図示されていない吊り支柱１１の側面に形成されネジ孔と略閉円形の支持部２３１のネジ孔２６、２６とにボルト３３を挿入し、取付具１９の略閉円形の支持部２３１に吊り支柱１１を取付ける。そして、取付具１９１の固定部２４１と基部取付具２０１の突出部２９１とを互いのネジ孔２７とネジ孔３１を位置合わせして合わせ、これらネジ孔２７、ネジ孔３１にボルト３４を差込み、ナット３５により締結する。
【００２４】
そして、側枠２の側面に形成された取付孔２１１に挿入されている基部取付具２０１の突出部２９１を回動させながら取付具１９１に取付けられた吊り支柱１１を垂直状態になるように角度調整と取付け誤差を調整し、該吊り支柱１１が垂直状態にあることを確認し取付け位置を決めた後に、取付具１９１の外部取付部２５のネジ孔２８からテクスネジ３６をネジ込むと、テクスネジ３６は、側枠２の側面にネジ孔を形成しながらネジ込まれると同時に基部取付具２０１の内部取付部３０に形成されているネジ孔３２と螺合する。
【００２５】
すると、取付具１９１の外部取付部２５と基部取付具２０１の内部取付部３０とで側枠２の側面を挟持締結し、側枠２の側面に吊り支柱１１をしっかりと垂直状態で支持される。同様してもう一本の吊り支柱１１も所定の間隔をおいて側枠２の側面に取付具によって垂直状態で取付けられる。このように側枠２の側面に垂直状態で支持された２本の吊り支柱１１、１１にスライド支柱１３、１３を止めネジ１４で長さ調節して取付けると共に、該スライド支柱１３、１３の下部に物干し部材１５を取付ける。
【００２６】
このように本発明の簡易屋根は、垂木や側枠の側面への現場での孔開け作業は、一本の吊り支柱に対して一つの取付孔を開けるだけでよく、従来の取付作業のように一対の取付孔を所定の間隔で且つ水平となるように孔開け作業をしなければならなかったのに対し、現場での孔開け作業時の施工精度が不要であると共に、施工が容易に行うことができる。また、垂木や側枠の側面に吊り支柱の取付具の取付けもテクスネジを使用することにより予め孔開けする必要もなく、更に、吊り支柱の垂直出し作業も、側枠の側面に開けた取付孔の中で、取付具を回転させながら調節して行うことができる。
【００２７】
【発明の効果】
以上説明したように、本発明の簡易屋根は、垂木や側枠の側面への現場での孔開け作業は、一本の吊り支柱に対して一つの取付孔を開けるだけでよく、従来の取付作業のように一対の取付孔を所定の間隔で且つ水平となるように孔開け作業をしなければならなかったのに対し、現場での孔開け作業時の施工精度が不要であると共に、施工が容易に行うことができる、云う効果を奏する。
【図面の簡単な説明】
【図１】本発明の簡易屋根に付設する物干し装置の取付け状態を示す側面図、
【図２】取付具の斜視図、
【図３】基部取付具の側断面図、
【図４】側枠への基部取付具の取付け状態図、
【図５】基部取付具への取付具の取付け状態図、
【図６】基部取付具と取付具の取付け状態図、
【図７】側枠への取付具の取付け状態図、
【図８】側枠への取付具の取付け状態の断面図、
【図９】取付具の他の実施の態様の斜視図、
【図１０】基部取付具の他の実施の態様の側断面図、
【図１１】側枠への基部取付具の他の実施の態様の取付け状態図、
【図１２】従来の簡易屋根に付設する物干しの取付け状態図、
【図１３】図１２の部分詳細図である。
【符号の説明】
１  壁面、  ２  側枠、  ３  前柱、  ４  母屋、  ５  屋根板、
６  取付板、  ７  取付孔、  ８  ターンナット、  ９  ネジ孔、
１０  ネジ、  １１  吊り支柱、  １２  ネジ、  １３  スライド支柱、
１４  止めネジ、  １５  物干し部材、  １６  サポート部材、  １７  ネジ、
１８  ボルト、  １９  取付具、  ２０  基部取付具、  ２１  取付孔、
２２  物干し竿、  ２３  半円形の支持部、  ２４  固定部、
２５  外部取付部、  ２６  ネジ孔、  ２７  ネジ孔、  ２８  ネジ孔、
２９  突出部、  ３０  内部取付部、  ３１  ネジ孔、  ３２  ネジ孔、
３３  ボルト、  ３４  ボルト、  ３５  ナット、  ３６  テクスネジ。
【図１】
0003641822.tif 000002
【図２】
0003641822.tif 000003
【図３】
0003641822.tif 000004
【図４】
0003641822.tif 000005
【図５】
0003641822.tif 000006
【図８】
0003641822.tif 000007
【図６】
0003641822.tif 000008
【図７】
0003641822.tif 000009
【図９】
0003641822.tif 000010
【図１０】
0003641822.tif 000011
【図１１】
0003641822.tif 000012
【図１２】
0003641822.tif 000013
【図１３】
0003641822.tif 000014